(57)【特許請求の範囲】
【請求項１】
外部の双方向ＣＡＴＶシステムからの引込線を建造物内に引き込み、該引込線から入力された下り信号を、建造物内の伝送線を介して複数の端末端子まで伝送すると共に、各端末端子より入力された前記下り信号よりも周波数が高い棟内上り信号を、前記引込線側まで伝送し、更に、その伝送された棟内上り信号を、前記伝送線と前記引込線との間に設けられたダウンコンバータにて、前記下り信号よりも周波数が低い前記双方向ＣＡＴＶシステム用の上り信号に周波数変換した後、前記引込線から前記双方向ＣＡＴＶシステムの伝送線上に送出するように構成された棟内ＣＡＴＶシステムにおいて、
前記端末端子と加入者側の端末装置との間に設けられ、前記伝送線を介して前記端末端子まで伝送されてきた前記下り信号を前記端末装置側に出力すると共に、前記端末装置から出力された前記上り信号を、前記棟内上り信号に周波数変換して、前記端末端子側に出力するアップコンバータであって、
前記上り信号を前記棟内上り信号に周波数変換するための高周波信号を発生する高周波信号発生手段と、
前記端末装置から出力された上り信号を取り込み、前記高周波信号発生手段が発生した高周波信号と混合することにより、前記上り信号を前記棟内上り信号に周波数変換する周波数変換手段と、
前記端末装置から前記上り信号が入力されているか否かを判定する判定手段と、
該判定手段にて前記上り信号が入力されていると判定されると、前記高周波信号発生手段から前記周波数変換手段へ前記高周波信号を出力させ、前記判定手段にて前記上り信号が入力されていないと判定されると、前記高周波信号発生手段から前記周波数変換手段への高周波信号の出力を停止させる信号出力切換手段と、
を備えたことを特徴とする棟内ＣＡＴＶシステム用アップコンバータ。
【請求項２】
外部の双方向ＣＡＴＶシステムからの引込線を建造物内に引き込み、該引込線から入力された下り信号を、建造物内の伝送線を介して複数の端末端子まで伝送すると共に、加入者側の端末装置と前記端末端子との間に設けられたアップコンバータを介して前記端末端子に入力された、前記下り信号よりも周波数が高い棟内上り信号を、前記引込線側まで伝送し、更に、その伝送された棟内上り信号を、前記伝送線と前記引込線との間に設けられたダウンコンバータにて、前記下り信号よりも周波数が低く、且つ、前記アップコンバータが周波数変換する前の上り信号に周波数変換した後、前記引込線から前記双方向ＣＡＴＶシステムの伝送線上に送出する棟内ＣＡＴＶシステムにおいて、
前記アップコンバータとして、請求項１記載の棟内ＣＡＴＶシステム用アップコンバータを設けたことを特徴とする棟内ＣＡＴＶシステム。
【発明の詳細な説明】
【０００１】
【発明の属する技術分野】
本発明は、外部の双方向ＣＡＴＶシステムからの引込線を建造物内に引き込み、建造物内の伝送線を介して、建造物内の加入者側の複数の端末端子と双方向ＣＡＴＶシステムの伝送路とを接続する棟内ＣＡＴＶシステムにおいて、加入者側端末装置から出力された上り信号を外部の双方向ＣＡＴＶシステムまで伝送するのに使用される棟内ＣＡＴＶシステム用アップコンバータ及び棟内ＣＡＴＶシステムに関する。
【０００２】
【従来の技術】
従来より、外部の双方向ＣＡＴＶシステムからの引込線を建造物内に引き込み、建造物内の伝送線を介して、建造物内の加入者側の複数の端末端子と双方向ＣＡＴＶシステムの伝送路とを接続する棟内ＣＡＴＶシステムにおいては、建造物内の各部で発生した雑音が加入者側の端末端子等を介して伝送線に重畳され、この雑音の内、上り信号と同じ周波数成分のものは、流合雑音として、上り信号と一緒に外部の双方向ＣＡＴＶシステムに出力されてしまうことがあった。
【０００３】
そこで、従来では、外部の双方向ＣＡＴＶシステムへ流出する流合雑音を低減するため、ケーブルモデム等の加入者側端末装置にて生成された上り信号（双方向ＣＡＴＶシステムで伝送可能な周波数帯（例えば１０ＭＨｚ〜５５ＭＨｚ）の信号）を、アップコンバータにて、元の周波数よりも高く、しかも、下り信号の伝送周波数（例えば７０ＭＨｚ〜７７０ＭＨｚ）と重複することのない、ＵＨＦ帯（例えば８２１ＭＨｚ〜８６６ＭＨｚ）の上り信号（以下、棟内上り信号という）に周波数変換して、引込線まで伝送し、棟内の伝送線から引込線へ上り信号を出力する直前で、棟内上り信号を、ダウンコンバータを用いて、元の周波数（換言すれば、双方向ＣＡＴＶシステムでの上り信号の伝送周波数）に変換することが考えられている。
【０００４】
また、この種の棟内ＣＡＴＶシステムでは、アップコンバータとダウンコンバータとが、夫々、異なる周波数の高周波信号を用いて各信号を周波数変換するようにすると、ダウンコンバータにて、棟内上り信号から端末装置が出力した元の上り信号を復元することができないことから、各コンバータが周波数変換するのに使用する高周波信号の周波数を一致させる必要がある。
【０００５】
このため、従来では、例えば、各コンバータに、同一構成で周波数変動の少ない発振器を夫々設け、各発振器が発生した基準信号を用いて、周波数変換用の高周波信号を発生する局部発振回路の発振周波数を制御するとか、或いは、各コンバータにおいて、周波数変換用の高周波信号を発生する局部発振回路の発振周波数を、共通の基準信号（例えば、双方向ＣＡＴＶシステムで下り信号のレベル調整等のために使用されるパイロット信号等、伝送線に流れる一定周波数の信号）を用いて制御する、といったことが考えられている。
【０００６】
つまり、このように、アップコンバータ及びダウンコンバータを、互いに、同一周波数の高周波信号を用いて各信号を周波数変換するようにすれば、ダウンコンバータにおいて、アップコンバータが周波数変換する前の元の上り信号を正確に復元することができ、棟内ＣＡＴＶシステムから外部の双方向ＣＡＴＶシステムには、各加入者側の端末装置が出力した上り信号をそのままの形態で送出することができるようになる。
【０００７】
【発明が解決しようとする課題】
しかしながら、本発明者が実験を行ったところ、上記棟内ＣＡＴＶシステムを実際に構築すると、アップコンバータの数が多い大規模な棟内ＣＡＴＶシステムでは、ダウンコンバータ側で元の上り信号を正確に復元できない場合があることが判った。そして、この問題を解明するため、本発明者が各種実験を行ったところ、次のことが判った。
【０００８】
即ち、まず、１０ＭＨｚ〜５５ＭＨｚの上り信号を、アップコンバータにて、８２１ＭＨｚ〜８６６ＭＨｚの棟内上り信号に周波数変換するようにした場合、ダウンコンバータにて、棟内上り信号を元の周波数帯（１０ＭＨｚ〜５５ＭＨｚ）の上り信号に周波数変換するには、アップコンバータ及びダウンコンバータにて各信号を周波数変換するのに用いる高周波信号の周波数を、８１１ＭＨｚ若しくは８７６ＭＨｚに設定すればよい。
【０００９】
またこの場合、上り信号は下り信号よりも周波数が低く、棟内上り信号は下り信号よりも周波数が高いことから、周波数変換用の高周波信号の周波数としては、下り信号に影響を与えることのないように、下り信号や棟内上り信号よりも更に高い周波数（８７６ＭＨｚ）に設定するのが一般的である。
【００１０】
そして、このように周波数変換用の高周波信号の周波数を設定した場合、アップコンバータで周波数変換に使用される高周波信号は、棟内上り信号の周波数に近くなることから、アップコンバータから棟内ＣＡＴＶシステムの伝送線上には、棟内上り信号と一緒に、周波数変換用の高周波信号が漏れ出してしまうことが判った。
【００１１】
一方、棟内ＣＡＴＶシステムにおいては、上り信号を出力する端末装置毎に、アップコンバータが設置されることから、こうした端末装置を所有する加入者の数が多くなるほど（換言すれば、棟内ＣＡＴＶシステムの規模が大きくなるほど）、アップコンバータから伝送線上に漏れ出す高周波信号の数が多くなる。
【００１２】
これに対して、各アップコンバータは、外部の双方向ＣＡＴＶシステムのセンタ装置に設けられた通信装置との間で時分割でデータ通信を行うものであるため、棟内ＣＡＴＶシステムにおいて、複数のアップコンバータが同時に棟内上り信号を出力することはない。
【００１３】
この結果、各アップコンバータから漏れ出した高周波信号は、伝送線上で合成されてダウンコンバータに入力され、その入力レベルは、棟内ＣＡＴＶシステムの規模が大きい程高くなり、場合によっては、棟内上り信号の入力レベルよりも大きくなることが判った。
【００１４】
また、このように伝送線を介してダウンコンバータに入力される高周波信号は、各アップコンバータから漏れ出した高周波信号が伝送線上で合成される際の位相差や、各アップコンバータ毎の高周波信号の周波数の微少なずれ等によって、正規の周波数（８７６ＭＨｚ）を中心として、上下の周波数方向に広がりを持つ雑音成分（以下位相雑音という）が含まれることも判った。
【００１５】
また次に、上記のように、アップコンバータ側で周波数変換に用いられる高周波信号（詳しくはその合成信号）が、棟内上り信号と共にダウンコンバータに入力されると、ダウンコンバータ内では、その高周波信号と棟内上り信号とが、周波数変換用の回路（一般にミキサ）に入力され、ダウンコンバータ内で生成された高周波信号と合成される。
【００１６】
従って、ダウンコンバータにおいて、棟内上り信号は、ダウンコンバータ内で生成された高周波信号にて元の上り信号に周波数変換されるものの、端末側から一緒に伝送されてきた位相雑音を含む高周波信号とも合成されることから、周波数変換後の上り信号は、その上下の周波数方向に広がりを持つ位相雑音が付与され、特に、規模の大きいＣＡＴＶシステムでは、上り信号が周囲の位相雑音に埋もれてしまう場合があることが判った。
【００１７】
尚、こうした問題を解決するには、各アップコンバータ側で発生する高周波信号の位相を調整したり、或いは、各アップコンバータから高周波信号の合流点までの伝送線の線路長を調整することにより、各アップコンバータから漏れ出した高周波信号が伝送線上で互いに打ち消し合うようにしてもよいが、実際にこのような対策を施すことは困難である。
【００１８】
本発明は、こうした問題に鑑みなされたものであり、端末側ではアップコンバータを用いて上り信号を周波数が高い棟内上り信号に周波数変換し、外部の双方向ＣＡＴＶシステムに接続される引込線側では、ダウンコンバータを用いて棟内上り信号を元の上り信号に周波数変換するようにした棟内ＣＡＴＶシステムにおいて、ダウンコンバータが、端末側のアップコンバータから漏れ出した周波数変換用の高周波信号の影響を受けることなく、元の上り信号を正確に復元できるようにすることを目的とする。
【００１９】
【課題を解決するための手段及び発明の効果】
かかる目的を達成するためになされた請求項１に記載の棟内ＣＡＴＶシステム用アップコンバータにおいては、端末装置から出力された上り信号を棟内上り信号に周波数変換するための高周波信号を発生する高周波信号発生手段を備え、端末装置から上り信号が入力された際には、周波数変換手段が、その上り信号と、高周波信号発生手段が発生した高周波信号とを混合することにより、上り信号を棟内上り信号に周波数変換する。
【００２０】
また、本発明のアップコンバータにおいては、判定手段が、端末装置から上り信号が入力されているか否かを判定し、判定手段にて上り信号が入力されていると判定されると、信号出力切換手段が、高周波信号発生手段から周波数変換手段へ高周波信号を出力させ、判定手段にて上り信号が入力されていないと判定されると、信号出力切換手段が、高周波信号発生手段から周波数変換手段への高周波信号の出力を停止させる。
【００２１】
このため、本発明のアップコンバータによれば、棟内ＣＡＴＶシステムの多数の端末端子に夫々設けたとしても、端末装置から上り信号が入力されて、これを棟内上り信号に周波数変換する必要のある特定のアップコンバータだけが、高周波信号発生手段から周波数変換手段に高周波信号を出力することになり、他のアップコンバータが高周波信号発生手段から周波数変換手段に高周波信号を出力することはない。
【００２２】
また、双方向ＣＡＴＶシステムにおける双方向のデータ通信は、センタ装置側の通信装置が時分割で通信相手となる端末装置を選択することにより行われることから、端末端子を介して多数のアップコンバータが伝送線に接続されたとしても、高周波信号発生手段から周波数変換手段に高周波信号を出力するアップコンバータは、棟内ＣＡＴＶシステム内で一つであり、複数のアップコンバータが同時に、高周波信号発生手段から周波数変換手段に高周波信号を出力することはない。
【００２３】
この結果、本発明のアップコンバータを用いて、棟内ＣＡＴＶシステムを構築すれば、周波数変換手段から棟内上り信号の通過経路を介して伝送線上に高周波信号を漏出するアップコンバータを、棟内ＣＡＴＶシステム内で一つに制限することができる。
【００２４】
従って、本発明のアップコンバータによれば、棟内ＣＡＴＶシステム内の各アップコンバータが周波数変換に用いる高周波信号を合成した信号がダウンコンバータに入力されるのを防止し、ダウンコンバータが、この高周波信号（詳しくはその合成信号）の影響を受けて、棟内上り信号から元の上り信号を復元できなくなるのを防止できる。
【００２５】
よって、本発明のアップコンバータによれば、ダウンコンバータに対して、棟内上り信号から元の上り信号を正確に復元させ、上り信号の品質を低下させることなく、外部の双方向ＣＡＴＶシステムに送出させることが可能となる。
一方、請求項２記載の棟内ＣＡＴＶシステムは、加入者側の端末装置と端末端子との間に設けられるアップコンバータとして、請求項１記載の棟内ＣＡＴＶシステム用アップコンバータを設けたことを特徴とする。
【００２６】
そして、この棟内ＣＡＴＶシステムにおいては、各端末端子に接続されたアップコンバータが、端末装置から上り信号が入力されたときにだけ、高周波信号発生手段から周波数変換手段に高周波信号を出力して、周波数変換手段に、上り信号を棟内上り信号に周波数変換させることから、上記のように、周波数変換手段から棟内上り信号の通過経路を介して伝送線上に高周波信号を漏出するアップコンバータを、棟内ＣＡＴＶシステム内で一つに制限し、ダウンコンバータに対して、棟内上り信号から元の上り信号を正確に復元させることが可能となる。
【００２７】
【発明の実施の形態】
以下に本発明の実施例を図面と共に説明する。
図１は、本発明が適用された実施例の棟内ＣＡＴＶシステム全体の構成を表す構成図である。
【００２８】
図１に示す如く、本実施例の棟内ＣＡＴＶシステムは、外部の双方向ＣＡＴＶシステムの伝送線（ＣＡＴＶ伝送線）２から分岐装置４を介して分岐された引込線６を、保安器８を介して、マンション，アパート等の建造物内に引き込み、その建造物内に配線された同軸ケーブルからなる伝送線Ｌ、及び、この伝送線Ｌに設けられた双方向増幅器１２，分岐器１４，分配器１６等を介して、引込線６から入力された双方向ＣＡＴＶシステムの下り信号（周波数：７０ＭＨｚ〜７７０ＭＨｚ）を、建造物内の各加入者宅に設置された直列ユニット等からなる複数の端末端子１８まで伝送すると共に、加入者側の各種端末装置から後述のアップコンバータ２０を介して端末端子１８に入力された棟内上り信号を、引込線６まで伝送するものである。尚、双方向増幅器１２は、本発明の増幅装置に相当する。
【００２９】
そして、本実施例の棟内ＣＡＴＶシステムでは、加入者側で、外部の双方向ＣＡＴＶシステムのセンタ装置を介してインタネットを楽しむ場合や、センタ装置に対して有料番組の視聴予約やテレビショッピング等のためのデータを送信する際には、その加入者側の端末端子１８に、アップコンバータ２０及びケーブルモデム２２を介して、データ通信用の情報端末装置（パーソナルコンピュータ等）２４を接続する。
【００３０】
この結果、情報端末装置２４から出力されたデータ通信用の送信データは、ケーブルモデム２２にて、外部の双方向ＣＡＴＶシステムで伝送可能な所定周波数帯（本実施例では、１０ＭＨｚ〜５５ＭＨｚ）の上り信号に変換され、更に、この上り信号は、アップコンバータ２０にて、所定周波数帯（本実施例では、８２１ＭＨｚ〜８６６ＭＨｚ）の棟内上り信号に周波数変換されて、端末端子１８に入力される。
【００３１】
このため、棟内ＣＡＴＶシステムの伝送線Ｌと、外部の双方向ＣＡＴＶシステムからの引込線６との接続部分には、各端末端子１８から伝送線Ｌを介して伝送されてきた棟内上り信号を、外部の双方向ＣＡＴＶシステムで伝送可能な元の上り信号に周波数変換するためのダウンコンバータ１０が設けられている。
【００３２】
尚、図１において、符号２６は、アップコンバータ２０が接続されない端末端子１８に接続され、伝送線Ｌを介して伝送されてきた外部の双方向ＣＡＴＶシステムからの下り信号を受信して、所望チャンネルのテレビ放送を復調・再生するテレビ受信機を表す。
【００３３】
次に、本実施例の棟内ＣＡＴＶシステムで用いられるダウンコンバータ１０及びアップコンバータ２０の構成を図２を用いて説明する。
［ダウンコンバータ］
図２（ａ）に示すように、ダウンコンバータ１０には、外部の双方向ＣＡＴＶシステムからの引込線６を接続するための外部接続端子Ｔ１と、建造物１０内の伝送線Ｌを接続するための内部接続端子Ｔ２とが備えられている。
【００３４】
そして、外部接続端子Ｔ１に入力された下り信号は、ハイパスフィルタ（以下、ＨＰＦと記載する）３１を介して、ダウンコンバータ１０内に取り込まれ、混合回路３２、ローパスフィルタ（以下、ＬＰＦと記載する）３３、及び内部接続端子Ｔ２を介して、端末側の伝送線Ｌ上に送出される。
【００３５】
ここで、ＨＰＦ３１は、下り信号を通過させ、周波数変換後の上り信号の通過を阻止するためのものであり、カットオフ周波数が例えば７０ＭＨｚに設定されている。また、ＬＰＦ３３は、下り信号を通過させ、伝送線Ｌを介して内部接続端子Ｔ２に入力された棟内上り信号の通過を阻止するためのものであり、カットオフ周波数が例えば７７０ＭＨｚに設定されている。従って、本実施例のダウンコンバータ１０においては、ＨＰＦ３１と，ＬＰＦ３３とにより、下り信号の通過経路が形成されることになる。
【００３６】
また、ＨＰＦ３１とＬＰＦ３３との間の下り信号の通過経路上に設けられた混合回路３２は、この経路を通過する下り信号に後述の基準信号を混合することにより、基準信号を下り信号と共に端末側の伝送線Ｌ上に送出するためのものであり、所謂方向性結合器にて構成されている。
【００３７】
次に、内部接続端子Ｔ２に入力される端末側からの棟内上り信号は、ＨＰＦ３４を介して、ダウンコンバータ１０内に取り込まれる。尚、ＨＰＦ３４は、ＬＰＦ３３から出力される下り信号の回り込みを防止し、棟内上り信号のみを選択的に取り込むためのものであり、カットオフ周波数が例えば８２１ＭＨｚに設定されている。
【００３８】
そして、ＨＰＦ３４を介してダウンコンバータ１０内に取り込まれた棟内上り信号は、信号レベル調整用の減衰器（所謂アッテネータであり、以下ＡＴＴと記載する）３５及びバンドパスフィルタ（以下、ＢＰＦと記載する）３６を介して、増幅回路３７に入力される。尚、ＢＰＦ３６は、棟内上り信号を選択的に通過させるためのものであり、信号通過帯域が、棟内上り信号の伝送周波数（８２１ＭＨｚ〜８６６ＭＨｚ）に設定されている。
【００３９】
また増幅回路３７に入力された棟内上り信号は、増幅回路３７にて所定レベルまで増幅された後、周波数変換用のミキサ３８に入力される。そして、ミキサ３８は、ＰＬＬ回路３９により発振周波数が一定（本実施例では、８７６ＭＨｚ）に制御された周波数可変型の局部発振回路４０からの高周波信号と、棟内上り信号とを混合することにより、棟内上り信号を、アップコンバータ２０が周波数変換する前の元の上り信号に周波数変換する。
【００４０】
ここで、ＰＬＬ回路３９は、局部発振回路４０から出力される周波数変換用の高周波信号と基準信号とを夫々分周して取り込み、その分周後の各信号の位相差が零となるように局部発振回路４０の発振周波数を制御することにより、ダウンコンバータ１０内での周波数変換用の高周波信号を基準信号に対応した一定周波数に制御するためのものである。そして、本実施例では、このＰＬＬ回路３９が局部発振回路４０の発振周波数を制御するのに用いる基準信号を、ダウンコンバータ１０内の基準発振回路４１にて生成するようにされている。
【００４１】
また、基準発振回路４１の発振周波数は、下り信号よりも低い周波数に設定されており、この基準発振回路４１から出力された、下り信号よりも低周波の基準信号は、上記のようにＰＬＬ回路３９に入力されるだけでなく、基準信号を選択的に通過させる狭帯域のＢＰＦ４２を介して、上述の混合回路３２に入力される。この結果、基準信号は、上記のように混合回路３２にて下り信号に混合された後、ＬＰＦ３３及び内部接続端子Ｔ２を介して伝送線Ｌ上に送出されることになる。
【００４２】
尚、このように内部接続端子Ｔ２から伝送線Ｌ上に基準信号を送出するのは、端末側の各アップコンバータ２０にこの基準信号を伝送して、各アップコンバータ２０側でも、ダウンコンバータ１０と同じ基準信号を用いて、周波数変換用の高周波信号を生成できるようにするためである。つまり、本実施例では、ダウンコンバータ１０から端末側の各アップコンバータ２０に基準信号を送信することにより、各アップコンバータ２０が周波数変換に用いる高周波信号の周波数を、ダウンコンバータ１０が周波数変換に用いる高周波信号と一致させるのである。
【００４３】
次に、ミキサ３８にて周波数変換された上り信号は、上り信号を選択的に通過させるために信号通過帯域が上り信号の伝送周波数（１０ＭＨｚ〜５５ＭＨｚ）に設定されたＢＰＦ４３を介して、上り信号増幅用の増幅回路４４に入力される。そして、上り信号は、この増幅回路４４にて所定レベルまで増幅された後、信号レベル調整用のＡＴＴ４５、ＬＰＦ４６、及び、外部接続端子Ｔ１を介して、引込線６側に送出される。尚、ＬＰＦ４６は、外部接続端子Ｔ１に入力された下り信号の通過を阻止し、周波数変換後の上り信号のみを通過させるためのものであり、そのカットオフ周波数は、例えば５５ＭＨｚに設定されている。
［アップコンバータ］
図２（ｂ）に示すように、アップコンバータ２０には、同軸ケーブル等を介して端末端子１８に接続するための第１接続端子Ｔ３と、上り信号を出力してくるケーブルモデム２２等の通信用端末装置に接続するための第２接続端子Ｔ４とが備えられている。
【００４４】
そして、端末端子１８から第１接続端子Ｔ３に入力された下り信号は、ＬＰＦ５１を介して、アップコンバータ２０内に取り込まれ、分岐回路５２、ＨＰＦ５３及び第２接続端子Ｔ４を介して、通信用端末装置側に送出される。
ここで、ＬＰＦ５１は、周波数変換後の棟内上り信号の通過を阻止し、第１接続端子Ｔ３に入力された下り信号のみを通過させるためのものであり、カットオフ周波数が例えば７７０ＭＨｚに設定されている。また、ＨＰＦ５３は、通信用端末装置から第２接続端子Ｔ４に入力された上り信号の通過を阻止し、下り信号のみを通過させるためのものであり、カットオフ周波数が例えば７０ＭＨｚに設定されている。従って、本実施例のアップコンバータ２０においては、ＬＰＦ５１とＨＰＦ５３とにより、下り信号の通過経路が形成されることになる。
【００４５】
また、ＬＰＦ５１とＨＰＦ５３との間の下り信号の通過経路上に設けられた分岐回路５２は、この経路を通過する下り信号の一部を分岐させるためのものであり、所謂方向性結合器にて構成されている。そして、この分岐回路５２で分岐された下り信号は、ダウンコンバータ１０から伝送されてきた基準信号を抽出するための狭帯域のＢＰＦ６０に入力される。
【００４６】
次に、第２接続端子Ｔ４に入力される通信用端末装置からの上り信号は、ＬＰＦ５４を介して、アップコンバータ２０内に取り込まれる。尚、ＬＰＦ５４は、ＨＰＦ５３から出力される下り信号の回り込みを防止し、上り信号のみを選択的に取り込むためのものであり、カットオフ周波数が例えば５５ＭＨｚに設定されている。
【００４７】
そして、ＬＰＦ５４を介してアップコンバータ２０内に取り込まれた上り信号は、上り信号の一部を分岐させる分岐回路５５、及び、信号レベル調整用のＡＴＴ５６を介して、周波数変換手段としてのミキサ５７に入力される。そして、ミキサ５７は、ＰＬＬ回路５８により発振周波数が一定（本実施例では、８７６ＭＨｚ）に制御された周波数可変型の局部発振回路５９からの高周波信号と、上り信号とを混合することにより、上り信号を、棟内上り信号に周波数変換する。
【００４８】
ここで、ＰＬＬ回路５８は、ＢＰＦ６０にて抽出された基準信号（換言すればダウンコンバータ１０から伝送されてきた基準信号）と、局部発振回路５９から出力される周波数変換用の高周波信号とを、夫々、分周して取り込み、その分周後の各信号の位相差が零となるように局部発振回路５９の発振周波数を制御することにより、アップコンバータ２０内での周波数変換用の高周波信号を、ダウンコンバータ１０側での周波数変換用の高周波信号と同じ一定周波数に制御するためのものである。従って、本実施例では、分岐回路５２、ＢＰＦ６０、ＰＬＬ回路５８、及び局部発振回路５９が、本発明の高周波信号発生手段として機能することになる。
【００４９】
尚、局部発振回路５９からミキサ５７への高周波信号の出力経路には、その経路を断・続するための高周波スイッチ（ＳＷ）７１が設けられている。
次に、ミキサ５７にて周波数変換された棟内上り信号は、棟内上り信号を選択的に通過させるために信号通過帯域が棟内上り信号の伝送周波数（８２１ＭＨｚ〜８６６ＭＨｚ）に設定されたＢＰＦ６１を介して、棟内上り信号増幅用の増幅回路６２に入力される。そして、棟内上り信号は、この増幅回路６２にて所定レベルまで増幅された後、信号レベル調整用のＡＴＴ６３、ＨＰＦ６４、及び、第１接続端子Ｔ３を介して、端末端子１８（延いては伝送線Ｌ）側に送出される。尚、ＨＰＦ６４は、第１接続端子Ｔ３に入力された下り信号の通過を阻止し、周波数変換後の棟内上り信号のみを通過させるためのものであり、そのカットオフ周波数は、例えば８２１ＭＨｚに設定されている。
【００５０】
また次に、分岐回路５５により分岐された上り信号は、上り信号検出回路７２に入力される。上り信号検出回路７２は、例えば、分岐回路５５からの入力信号を検波して、検波後の信号レベルが所定レベル以上か否かを判定することにより、アップコンバータ２０に接続されたケーブルモデム２２等の通信用端末装置から上り信号が入力されているか否かを判断するものであり、本発明の判定手段として機能する。
【００５１】
そして、上り信号検出回路７２は、上り信号が入力されていると判断すると、上述の高周波スイッチ７１をオンして、局部発振回路５９からミキサ５７への高周波信号の出力経路を導通させ、逆に、上り信号が入力されていないと判断すると、高周波スイッチ７１をオフして、局部発振回路５９からミキサ５７への高周波信号の出力経路を遮断する。尚、本実施例では、高周波スイッチ７１が、本発明の信号出力切換手段として機能する。
【００５２】
以上説明したように、本実施例の棟内ＣＡＴＶシステムにおいては、端末端子１８に接続される各アップコンバータ２０が、上り信号検出回路７２により、対応する通信用端末装置から上り信号が入力されているか否かを判断し、上り信号が入力されているときにだけ、高周波スイッチ７１をオンさせて、局部発振回路５９からミキサ５７への高周波信号の出力経路を接続するようにされている。
【００５３】
このため、各アップコンバータ２０のミキサ５７には、端末側より上り信号が入力されているときにだけ、周波数変換用の高周波信号が入力され、上り信号が入力されていないときは、周波数変換用の高周波信号の入力が遮断される。
よって、本実施例の棟内ＣＡＴＶシステムにおいては、伝送線Ｌに端末端子１８を介して接続されるアップコンバータ２０の数が多くなっても、周波数変換用の高周波信号を伝送線Ｌ上に漏出するアップコンバータ２０は、上り信号の周波数変換を行っている最大１個のアップコンバータ２０だけとなり、他のアップコンバータ２０から伝送線Ｌ上に周波数変換用の高周波信号が漏れ出すことはない。
【００５４】
この結果、本実施例の棟内ＣＡＴＶシステムによれば、端末端子１８を介して伝送線Ｌに接続された多数のアップコンバータ２０から同時に周波数変換用の高周波信号が漏れ出すのを防止し、その高周波信号を合成した信号がダウンコンバータ１０に入力されるのを防止できる。
【００５５】
従って、本実施例の棟内ＣＡＴＶシステムによれば、ダウンコンバータ１０が、多数のアップコンバータ２０から伝送線Ｌに漏れ出した高周波信号（詳しくはその合成信号）の影響を受けて、棟内上り信号から元の上り信号を復元できなくことはない。
【００５６】
よって、本実施例の棟内ＣＡＴＶシステムによれば、ダウンコンバータ１０側で、特定のアップコンバータ２０が出力した棟内上り信号から周波数変換前の元の上り信号が正確に復元されることになり、上り信号の品質を低下させることなく、外部の双方向ＣＡＴＶシステムに送出させることが可能となる。
【００５７】
以上、本発明の一実施例について説明したが、本発明は、上記実施例に限定されるものではなく、種々の態様を採ることができる。
例えば、上記実施例では、アップコンバータ２０内の局部発振回路５９からミキサ５７に至る高周波信号の出力経路に、その経路を導通・遮断する高周波スイッチ７１を設け、上り信号検出手段７２が、上り信号が入力されたか否かによって、高周波スイッチ７１をオン・オフするものとして説明したが、本発明では、アップコンバータ２０に上り信号が入力されていないときに、周波数変換手段であるミキサ５７に周波数変換用の高周波信号が入力されて、これがそのまま伝送線Ｌ上に漏れ出すのを阻止できればよいことから、上り信号が入力されていない場合には、上り信号検出手段７２が、局部発振回路５９の発振動作を強制的に停止させるように構成してもよい。そして、このようにすれば、局部発振回路５９からミキサ５７に至る高周波信号の出力経路に高周波スイッチ７１を設ける必要がないため、上記実施例に比べて、アップコンバータ２０の構成を簡素化することができる。尚、上り信号検出手段７２をこのように構成した際には、上り信号検出手段７２が、本発明の判定手段及び信号出力切換手段として機能することになる。
【図面の簡単な説明】
【図１】  実施例の棟内ＣＡＴＶシステムの構成を表す構成図である。
【図２】  ダウンコンバータ及びアップコンバータの構成を表すブロック図である。
【符号の説明】
６…引込線、１０…ダウンコンバータ、１２…双方向増幅器、１８…端末端子、２０…アップコンバータ、２２…ケーブルモデム、２４…情報端末装置、３１，３４，５３，６４…ＨＰＦ（ハイパスフィルタ）、３２…混合回路、３３，４６，５１，５４…ＬＰＦ（ローパスフィルタ）、３５，４５，５６，６３…ＡＴＴ（減衰器）、３６，４３，４２，６０，６１…ＢＰＦ（バンドパスフィルタ）、３７，４４，６２…増幅回路、３８，５７…ミキサ、３９，５８…ＰＬＬ回路、４０，５９…局部発振回路、４１…基準発振回路、５２，５５…分岐回路、７１…高周波スイッチ、７２…上り信号検出回路。
【図１】
0004347969.tif 000002
【図２】
0004347969.tif 000003